(57)【要約】【課題】循環具洗浄装置において、洗浄液の漏れを防止することができ、且つ容易に外れることのない一口循環具用の接続アダプタを提供する。【解決手段】一口循環具用の接続アダプタは、洗浄液を導入する導入継手３２、循環パイプ１３ａを洗浄後の洗浄液を吐出する吐水継手３０、及び吐水継手３０と導入継手３２を一口循環具に固定するための筒状の継手固定体３３から構成されている。吐水継手３０には、継手固定体３３の軸線方向に延び、係止突起２８の側面と係合する第１係合面４９ａと、その先端から周方向に延び、係止突起２８の端面と係合する第２係合面４９ｂとからなる係合部４９が形成されている。【選択図】      図１
2005076962.tif 000002
【特許請求の範囲】
【請求項１】
浴槽の側壁に透設された取付孔を介してスリーブと接続体とが螺合によって側壁に固定され、これらスリーブと接続体とに一口循環具が取り付けられ、該一口循環具に接続される循環パイプによって水又はお湯が浴槽内に循環されるように構成され、前記スリーブは取付孔に挿通される筒部とその内端に設けられ浴槽の側壁内面に当接される係合鍔とよりなるとともに、筒部の内周面には側壁外面に位置する接続体との螺合に用いられる一対の係止突起が設けられる一方、一口循環具は浴槽の側壁の内方に着脱可能な基体を備え、該基体を取り外して循環パイプ内を洗浄するための洗浄装置に接続される連結パイプをスリーブに連結するための一口循環具用の接続アダプタであって、
前記スリーブの係止突起に係合される係合部を有する筒状の継手固定体を備え、該継手固定体には洗浄液を導入する導入継手及び循環パイプを洗浄後の洗浄液を吐出する吐水継手を固定することを特徴とする一口循環具用の接続アダプタ。
【請求項２】
前記係合部は継手固定体の軸線方向に延びる軸線方向係合部と、その先端から周方向に延びる周方向係合部とよりなり、継手固定体をその周方向係合部がスリーブ内の両係合突起間から係止突起より奥まで挿入した後、継手固定体を周方向に回動させて軸線方向係合部を係止突起に当接させ、次いで継手固定体を引き戻して周方向係合部が係止突起に係合するように構成した請求項１に記載される一口循環具用の接続アダプタ。
【請求項３】
前記導入継手又は吐水継手を外管又は内管とする二重管構造で構成され、
前記継手固定体の内周面には、第１の雌ねじが螺刻され、
前記内管は、外周面には前記第１の雌ねじと螺合する第１の雄ねじ及び第２の雄ねじが螺刻され、第１の雄ねじと第２の雄ねじの間には、リング状収容溝にシールリングが嵌着され、外管と内管とが摺動かつシール可能に構成され、
継手固定体の係合部をスリーブの係止突起に係合させた後、内管の第１の雄ねじを第１の雌ねじに螺合させ、外管を内管に嵌挿させた状態で第２の雄ねじに螺合される締付リングを備え、該締付リングを第２の雄ねじにさらに螺入して外管の端面をスリーブの係合鍔に当接させるとともに、継手固定体を引き戻して、スリーブの係止突起に対する係合部の係合を強化するように構成した請求項１又は請求項２に記載される一口循環具用の接続アダプタ。
【発明の詳細な説明】
【技術分野】
【０００１】
本発明は、浴槽用一口循環具に循環具洗浄装置を取り付ける際に用いられる一口循環具用の接続アダプタに関する。
【背景技術】
【０００２】
一般に、浴槽とお湯を沸かす為の熱交換器とを接続するための循環具として一口循環具が知られている。この一口循環具は、循環パイプ、側壁の取付孔に一口循環具を固定するための取付体、及び循環パイプと取付体とを接続するための接続体から構成される。接続体は、有底筒状に成形され、流入通路を構成する流入管の内部に流出通路を構成する流出管を配する二重管構造で構成される。また、その底部には、循環パイプを連結させる一対の接続口が形成され、それぞれ流入通路及び流出通路のいずれか一方と連通している。また、取付体は、さらに、外周面に接続体の内周面に螺刻された雌ねじと螺合する雄ねじ部を備える円筒状のスリーブ並びに浴槽内側からスリーブ内に嵌挿され吸水部及び吐水部を備えてなる円筒状の基体から構成されている。スリーブの内周面には、外周面に螺刻された雄ねじを接続体の雌ねじと螺合させる際に用いる一対の突起が形成されている。
【０００３】
また、一般に、循環具の循環パイプを定期的に洗浄するための洗浄装置として、特許文献１に記載される循環具洗浄装置が知られている。その洗浄装置は、洗浄液を送り出すためのポンプ、そのポンプの吐出口を延長するためのホース、そのホースと循環具の循環口を接続するためのゴム栓又は吸盤からなる接続アダプタ等から構成されている。その接続アダプタにより、ポンプの吐出口と循環具の循環口が連通され、洗浄液が循環具洗浄装置から所定の水圧で排出されることにより循環パイプ内が洗浄される。
【特許文献１】実開昭５６−５０３１９号公報（図面）
【発明の開示】
【発明が解決しようとする課題】
【０００４】
ところが、上述したように、一口循環具のスリーブ内周面に形成された一対の突起が邪魔となり、アダプタとしてゴム栓を用いた場合に、ゴム栓外周面とスリーブ内周面の間から洗浄液が漏れ出すという問題があった。また、同様の理由により、接続アダプタは、循環具洗浄装置からの洗浄液の水圧によりスリーブから容易に外れてしまうことがあった。
【０００５】
本発明は、従来技術の上記問題を解決するためになされたもので、その目的は、循環具洗浄装置において、洗浄液の漏れを防止することができ、且つ容易に外れることのない一口循環具用の接続アダプタを提供することにある。
【課題を解決するための手段】
【０００６】
上記目的を達成するために、請求項１に記載の発明は、浴槽の側壁に透設された取付孔を介してスリーブと接続体とが螺合によって側壁に固定され、これらスリーブと接続体とに一口循環具が取り付けられ、該一口循環具に接続される循環パイプによって水又はお湯が浴槽内に循環されるように構成され、前記スリーブは取付孔に挿通される筒部とその内端に設けられ浴槽の側壁内面に当接される係合鍔とよりなるとともに、筒部の内周面には側壁外面に位置する接続体との螺合に用いられる一対の係止突起が設けられる一方、一口循環具は浴槽の側壁の内方に着脱可能な基体を備え、該基体を取り外して循環パイプ内を洗浄するための洗浄装置に接続される連結パイプをスリーブに連結するための一口循環具用の接続アダプタであって、前記スリーブの係止突起に係合される係合部を有する筒状の継手固定体を備え、該継手固定体には洗浄液を導入する導入継手及び循環パイプを洗浄後の洗浄液を吐出する吐水継手を固定することを特徴とする。
【０００７】
請求項２に記載の発明は、請求項１に記載の発明において、前記係合部は継手固定体の軸線方向に延びる軸線方向係合部と、その先端から周方向に延びる周方向係合部とよりなり、継手固定体をその周方向係合部がスリーブ内の両係合突起間から係止突起より奥まで挿入した後、継手固定体を周方向に回動させて軸線方向係合部を係止突起に当接させ、次いで継手固定体を引き戻して周方向係合部が係止突起に係合するように構成した。
【０００８】
請求項３に記載の発明は、請求項１又は請求項２に記載の発明において、前記導入継手又は吐水継手を外管又は内管とする二重管構造で構成され、前記継手固定体の内周面には、第１の雌ねじが螺刻され、前記内管は、外周面には前記第１の雌ねじと螺合する第１の雄ねじ及び第２の雄ねじが螺刻され、第１の雄ねじと第２の雄ねじの間には、リング状収容溝にシールリングが嵌着され、外管と内管とが摺動かつシール可能に構成され、継手固定体の係合部をスリーブの係止突起に係合させた後、内管の第１の雄ねじを第１の雌ねじに螺合させ、外管を内管に嵌挿させた状態で第２の雄ねじに螺合される締付リングを備え、該締付リングを第２の雄ねじにさらに螺入して外管の端面をスリーブの係合鍔に当接させるとともに、継手固定体を引き戻して、スリーブの係止突起に対する係合部の係合を強化するように構成した。
【発明の効果】
【０００９】
本発明によれば、循環具洗浄装置において、洗浄液の漏れを防止することができ、且つ容易に外れることのない一口循環具用の接続アダプタを提供することができる。
【発明を実施するための最良の形態】
【００１０】
以下、本発明を一口循環具用の接続アダプタに具体化した一実施形態を図１及び図２にしたがって説明する。
図１に示されるように一口循環具用の接続アダプタ１１（以下、「接続アダプタ」とする）は、一口循環具１３の一部を構成し、浴槽の側壁１２の取付孔１４に固定される接続体１６及び円筒状のスリーブ１７に取り付けられる。一口循環具１３は、循環パイプ１３ａ、側壁１２の取付孔１４に一口循環具１３を固定するための取付体１５、水又はお湯を循環する循環パイプ１３ａ、及び取付体１５と循環パイプ１３ａを接続するための接続体１６から構成される。取付体１５は、円筒状のスリーブ１７及び図示しない吸水部及び吐水部を備え、浴槽内側からスリーブ１７内に嵌挿され、浴槽の側壁の内方に着脱可能な基体１５ａから構成されている。接続体１６は、流入通路１８を有する流入管１９、及び該流入管１９の内部に流出通路２０を有する流出管２１を配する二重管構造で構成され、それぞれ循環パイプ１３ａと連通している。
【００１１】
流出管２１の内周面には、円環状をなす第１リング状収容溝２２が設けられている。該リング状収容溝２２には、基体１５ａの吐水パイプの外周面と流出管２１の内周面からの水漏れを防止するための円環状をなすゴム製のシールリング（環状パッキン）２３が嵌着されている。スリーブ１７は内周面に導入通路２４を有し、取付孔１４に挿通される筒部と浴槽側端部に浴槽の側壁１２の内面に当接する係合鍔２７が一体形成されている。スリーブ１７の外周面には第１雄ねじ２５が螺刻され、浴槽の取付孔１４を介し流入管１９の内周面に螺刻された第１雌ねじ２６と螺合される。スリーブ１７の内周面には、その第１雄ねじ２５を第１雌ねじ２６に螺合させる際、スリーブ１７を回転操作するための回転操作部としての一対の係止突起２８が形成されている。
【００１２】
図１及び図２に示されるように接続アダプタ１１は吐出口２９を有してなる吐水継手３０、導入口３１を有してなる導入継手３２、前記吐水継手３０を一口循環具１３に連結するための継手固定体３３、及び導入継手３２を吐水継手３０に締付け固定するための締付リング３４から構成される。接続アダプタ１１は、導入継手を外管及び吐水継手を内管とする二重管構造で構成されている。
【００１３】
吐水継手３０は金属材料により略円筒状に成形され、吐出口２９及び導入口３５を有し、内部に通水路３６が形成されている。吐水継手３０の導入口３５側の端部は、先端ほど縮径されたテーパ状をなし、外周面には流出管２１の開口端面と当接する当接面３７が円環状に形成されている。吐水継手３０の中央部外周面には第２雄ねじ３８が螺刻され、吐出口２９側の外周面には第３雄ねじ３９が螺刻されている。吐水継手３０の外周面上において、第２雄ねじ３８と第３雄ねじ３９の間には、円環状の第２リング状収容溝４０が設けられており、円筒状に成形された導入継手３２の内周面と吐水継手３０外周面からの水漏れを防止するための円環状をなすゴム製のシールリング４１が嵌着されている。
【００１４】
導入継手３２は合成樹脂により構成され、内部には通水路４２が形成されるとともに、外周面上には接続筒４３がその軸線と直交する方向に延出されている。接続筒４３は先端部が導入口３１となり、内部が導入路４４となるとともに、その導入路４４は導入継手３２の通水路４２と連通している。また、接続筒４３の外周面には第４雄ねじ４５が螺刻されている。スリーブ１７の係合鍔２７外面と当接する側の開口端面４６には円環状をなす第３リング状収容溝４７が設けられ、導入継手３２の開口端面４６と係合鍔２７の外面からの水漏れを防止するゴム製のシールリング４８が嵌着されている。
【００１５】
継手固定体３３は金属材料により円筒状に成形され、スリーブ１７と接続される側の開口端部に一対の係合部４９が突設されている。各係合部４９はＪ字状に成形された板材から構成され、１８０度対向する位置に設けられている。両板材は継手固定体３３の端面から延出され、先端が同一方向に曲がっている。両板材のＪ字の内側には、軸線と平行に延びる軸線方向係合部としての第１係合面４９ａ及び第１係合面４９ａの先端から周方向に延びる周方向係合部としての第２係合面４９ｂがそれぞれ設けられている。継手固定体３３の内周面には前記第２雄ねじ３８と螺合する第２雌ねじ５０が螺刻されている。締付リング３４は金属材料により環状に成形され、内周面に前記第３雄ねじ３９と螺合する第３雌ねじ５１が螺刻されている。締付リング３４の外周面の対向位置には第３雌ねじ５１を第３雄ねじ３９に螺合させ、締付リング３４を回転操作するための一対の係止面５２が形成されている。
【００１６】
吐水継手３０の吐出口２９は図示しない循環具洗浄装置の導入口と連結ホース５３、連結継手５４、及び連結継手５４を固定するための固定リング５５を介し連通される。導入継手３２の導入口３１もまた同様の部材を介し図示しない循環具洗浄装置の吐出口と連通される。連結継手５４は金属材料により円筒状の連結ホース５３と接続される側の端部が先端ほど縮径されたテーパ状をなし、もう一方の端部内周面は縮径部５９を有する形状に成形され、該縮径部５９の基端位置の外周面にはフランジ部６１が径方向に突設されている。縮径部５９の外周面には円環状の第４リング状収容溝６３が設けられ、吐水継手３０又は接続筒４３の内周面と縮径部５９の外周面からの水漏れを防止するためのゴム製のシールリング６５が嵌着されている。
【００１７】
固定リング５５はそれぞれ金属材料により有蓋円筒状に成形され、蓋部６７に支持孔６９が透設されている。固定リング５５の内周面には前記第３雄ねじ３９又は前記第４雄ねじ４５と螺合する第４雌ねじ７１が螺刻されている。固定リング５５の蓋部６７は、連結継手５４のフランジ部６１を受けるように構成されている。固定リング５５の蓋部６７は、第４雌ねじ７１を第３雄ねじ３９に螺合させる際、連結継手５４のフランジ部６１に圧接され、吐水継手３０の吐出口２９側の端面とフランジ部６１が当接されることにより、連結継手５４が吐水継手３０に取り付けられる。同様に、固定リング５５の蓋部６７が、第４雌ねじ７１を接続筒４３の第４雄ねじ４５に螺合させる際、連結継手５４のフランジ部６１に圧接され、接続筒４３の導入口３１側の端面とフランジ部６１が当接されることにより、連結継手５４が接続筒４３に取り付けられる。
【００１８】
次に、接続アダプタ１１の作用について説明する。
まず、スリーブ１７に取り付けられている基体１５ａを取り外し、スリーブ１７の開口部及び第１リング状収容溝２２にシールリング２３を嵌着させた状態で流出管２１の開口部を浴槽側に露出させる。次に、図３（ａ）に示すように、継手固定体３３の係合部４９が設けられている側の端部を、スリーブ１７の一対の係止突起２８が一対の係合部４９の間にそれぞれ位置するように、スリーブ１７の開口部に挿入させる。続けて、継手固定体３３を循環パイプ１３ａ側からみて反時計周りに回動させ、図３（ｂ）に示すように、一対の係合部４９の第１係合面４９ａを一対の係止突起２８の側面に当接させる。その後、図３（ｃ）に示すように、継手固定体３３を浴槽側に引き戻すことにより、Ｊ字状の係合部４９の内側に係止突起２８を納めるとともに、係合部４９の第２係合面４９ｂを係止突起２８の端面に循環パイプ１３ａ側から当接させる。
【００１９】
次に、第２リング状収容溝４０にシールリング４１を嵌着させた状態で、吐水継手３０を導入口３５側から継手固定体３３の第２雌ねじ５０内に挿入させる。そして、第２雄ねじ３８を第２雌ねじ５０に螺合させることにより、当接面３７が流出管２１の開口端面に当接されるとともに、流出管２１の第１リング状収容溝２２に嵌着されているシールリング２３を吐水継手３０の導入口３５側の外周面に密着させる。その後、導入継手３２の第３リング状収容溝４７にシールリング４８を嵌着させた状態で、導入継手３２をシールリング４８嵌着側から吐水継手３０及び継手固定体３３に嵌挿させる。そして、第２リング状収容溝４０に嵌着されたシールリング４１を導入継手３２の内周面に密着させるとともに、第３リング状収容溝４７に嵌着されたシールリング４８をスリーブ１７の係合鍔２７の外面に密着させる。続いて、締付リング３４の第３雌ねじ５１を吐水継手３０の第３雄ねじ３９に螺合させ、締付リング３４の端面を導入継手３２の開口端面に当接させる。締付リング３４をさらにねじ込むことにより、導入継手３２がスリーブ１７に圧接されるとともに、継手固定体３３が浴槽側一層引き戻され、係合部４９と係止突起２８との係合が強固になる。このとき、スリーブ１７の係合鍔２７の外面にシールリング４８が圧接される。
【００２０】
次に、第４リング状収容溝６３にシールリング６５を嵌着させた状態で、固定リング５５の支持孔６９に連結継手５４を嵌挿し、連結継手５４のフランジ部６１に固定リング５５の蓋部６７を係合支持させる。続いて、固定リング５５の第４雌ねじ７１を第３雄ねじ３９に螺合させながら、連結継手５４の第４リング状収容溝６３に嵌着されているシールリング６５を吐水継手３０の内周面と密着させる。そのとき、連結継手５４の縮径部５９が吐水継手３０の内側に位置し、フランジ部６１が吐水継手３０の吐出口２９の端面と当接する。そして、固定リング５５の蓋部６７が、連結継手５４のフランジ部６１と圧接されることにより、連結継手５４が吐水継手３０に取り付けられる。最後に連結継手５４のテーパ状に成形された端部と図示されない洗浄装置の吐出口とを連結ホース５３を介し連結させる。また、接続筒４３の導入口３１には、上記と同様の方法で連結継手５４と固定リング５５及び連結ホース５３が取り付けられる。次いで、上述のように一口循環具１３に取り付けられた接続アダプタ１１に洗浄装置を稼働させることにより洗浄液を導入させる。洗浄装置の吐出口から吐出された洗浄液は連結ホース５３と連結継手５４を介し導入口３１から導入路４４内に導入される。導入路４４内に導入された洗浄液は導入継手３２の通水路４２、スリーブ１７の導入通路２４及び流入管１９の流入通路１８を順に通り循環パイプ１３ａ内に導入される。循環パイプ洗浄後の洗浄済液は流出管２１の流出通路２０及び吐水継手３０の通水路３６を順に通り吐出口２９から吐出される。その後、洗浄済液は連結継手５４及び連結ホース５３を介し洗浄装置の導入口に導入される。
【００２１】
本実施形態の接続アダプタ１１によれば、以下のような効果を得ることができる。
（１）本実施形態では、一口循環具を構成するスリーブ１７の係止突起２８に継手固定体３３のＪ字状に成形した係合部４９を係合させることにより吐水継手３０及び導入継手３２を一口循環具１３に取り付けた。したがって、アダプタとしてゴム栓を用いた場合に比べ、洗浄液の水圧により容易にアダプタが一口循環具から外れてしまうことがない。
【００２２】
（２）本実施形態では、継手固定体３３の係合部４９が設けられている側の端部を、スリーブ１７の開口部に挿入させ、回動させることにより一対の係合部４９の第１係合面４９ａを一対の係止突起２８の側面に当接させた。そして、継手固定体３３を浴槽側に引き戻すことにより、係合部４９の第２係合面４９ｂを係止突起２８の端面に循環パイプ１３ａ側から当接させた。したがって、かかる構成によれば、容易に継手固定体３３をスリーブ１７に連結させることができ、接続アダプタ１１と循環具との着脱も容易に行うことができる。
【００２３】
（３）本実施形態では、一つの継手固定体３３を用い、吐水継手３０及び導入継手３２を一口循環具に取り付けた。したがって、それぞれの継手に対応する継手固定体を作成する必要がなく、安価に接続アダプタを作成することができる。
【００２４】
（４）本実施形態では、導入継手３２はスリーブ１７に連結される側の開口端面４６がスリーブ１７の開口端部に一体形成された係合鍔２７と当接する。したがって、導入継手３２とスリーブ１７の開口部の大きさの相違にかかわらず導入継手３２をスリーブ１７に連通させることができる。
【００２５】
なお、上記実施形態は以下のように変更してもよい。
・上記実施形態では、締付リング３４の第３雌ねじ５１を吐水継手３０の第３雄ねじ３９に螺合させ、締付リング３４の端面を導入継手３２の開口端面に当接させる構成とした。しかしながら、締付リング３４を使用せずに導入継手３２の内周面に吐水継手３０の第３雄ねじと螺合する雌ねじを螺刻してもよい。
【００２６】
・上記実施形態では、継手固定体３３の係合部４９をＪ字状に形成した。しかしながら、係合部４９はＪ字状である必要はなく、例えば、Ｌ字状、Ｔ字状等の循環パイプ１３ａ側からスリーブ１７の係止突起２８と係合させることができる構成であればいずれでもよい。
【００２７】
・上記実施形態では、洗浄液を接続筒４３の導入口３１から導入させ、洗浄済液を吐水継手３０の吐出口２９から吐出させた。しかしながら、洗浄液を吐水継手３０の吐出口２９から導入し、洗浄済液を接続筒４３の導入口３１から吐出させてもよい。
【００２８】
・上記実施形態では、吐水継手３０の導入口３５の端部外周面を階段状に先端ほど縮径された形状に構成してもよい。かかる構成によれば、大きさの異なる複数の流出管と吐水継手３０とを結合させることができる。
【００２９】
次に、上記実施形態及び別例から把握できる技術的思想について、それらの効果とともに以下に追記する。
（ａ）請求項１〜請求項３のうちいずれか一項に記載される一口循環具用の接続アダプタにおいて、前記吐水継手の導入口が形成される側の端部は、階段状に先端ほど縮径された形状をなしている一口循環具用の接続アダプタ。
【００３０】
（ｂ）請求項３に記載される一口循環具用の接続アダプタにおいて、前記スリーブの係合鍔と当接する側の開口部側面には円環状のリング状収容溝が設けられており、導入継手の開口部と係合鍔からの水漏れを防止するための円環状をなすゴム製のシールリングが嵌着されている一口循環具用の接続アダプタ。したがって、この（ｂ）に記載の発明によれば、導入継手の開口部と係合鍔からの水漏れを確実に防止することができる。
【図面の簡単な説明】
【００３１】
【図１】一口循環具用の接続アダプタの断面図。
【図２】一口循環具用の接続アダプタの分解斜視図。
【図３】継手固定体のスリーブへの取付工程を示す工程図。（ａ）接続筒側から見たスリーブを一対の係止突起の間に係合部を挿入させる行程を示す図。（ｂ）接続筒側からみた継手固定体を回動させることにより第１係合面を係止突起の側面に当接させる工程を示す図。（ｃ）継手固定体を浴槽側に引き戻すことにより第１係合面を係止突起の端面に当接させる工程を示す継手固定体及びスリーブの断面図。
【符号の説明】
【００３２】
１１…一口循環具用の接続アダプタ、１７…スリーブ、２８…係止突起、３０…吐水継手、３２…導入継手、３３…継手固定体、４９…係合部、４９ａ…軸線方向係合部としての第１係合面、４９ｂ…周方向係合部としての第２係合面
【図１】
2005076962.tif 000003
【図２】
2005076962.tif 000004
【図３】
2005076962.tif 000005